Podtech/llm-jp-corpus-v4-ja_patent huggingface dataset:
【手続補正書】
【提出日】平成30年12月24日(2018.12.24)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
画素部と、前記画素部の外側に設けられたモニター回路と、を有し、
前記画素部は、第１の発光素子を有し、
前記モニター回路は、第２の発光素子と、トランジスタと、抵抗素子と、増幅回路と、を有し、
前記第２の発光素子の一方の電極は、前記トランジスタのソースまたはドレインの一方と電気的に接続され、
前記第２の発光素子の他方の電極は、前記抵抗素子の一方の電極及び前記増幅回路の第１の入力端子と電気的に接続され、
前記抵抗素子の他方の電極は、第１の電源線と電気的に接続され、
前記増幅回路の第２の入力端子は、第２の電源線と電気的に接続され、
前記増幅回路の出力端子は、前記トランジスタのゲートと電気的に接続され、
前記トランジスタのソースまたはドレインの他方は、第３の電源線と電気的に接続され、
前記トランジスタは、酸化物半導体膜を有し、
前記抵抗素子は、前記酸化物半導体膜と同一表面上の酸化物導電膜を有し、
前記モニター回路によって、前記第１の発光素子に流れる電流を制御する機能を有することを特徴とする半導体装置。
【請求項２】
画素部と、前記画素部の外側に設けられたモニター回路と、を有し、
前記画素部は、選択トランジスタと、駆動トランジスタと、第１の発光素子とを有し、
前記モニター回路は、第２の発光素子と、トランジスタと、抵抗素子と、増幅回路と、を有し、
前記第２の発光素子の一方の電極は、前記トランジスタのソースまたはドレインの一方と電気的に接続され、
前記第２の発光素子の他方の電極は、前記抵抗素子の一方の電極及び前記増幅回路の第１の入力端子と電気的に接続され、
前記抵抗素子の他方の電極は、第１の電源線と電気的に接続され、
前記増幅回路の第２の入力端子は、第２の電源線と電気的に接続され、
前記増幅回路の出力端子は、前記トランジスタのゲートと電気的に接続され、
前記トランジスタのソースまたはドレインの他方は、第３の電源線と電気的に接続され、
前記トランジスタは、酸化物半導体膜を有し、
前記抵抗素子は、前記酸化物半導体膜と同一表面上の酸化物導電膜を有し、
前記モニター回路によって、前記駆動トランジスタ及び前記第１の発光素子に流れる電流を制御する機能を有することを特徴とする半導体装置。
【請求項３】
画素部と、前記画素部の外側に設けられたモニター回路と、を有し、
前記画素部は、選択トランジスタと、駆動トランジスタと、第１の発光素子とを有し、
前記選択トランジスタは、信号線と前記駆動トランジスタのゲートとの間の導通状態を制御する機能を有し、
前記駆動トランジスタは、前記第１の発光素子に流れる電流を制御する機能を有し、
前記モニター回路は、第２の発光素子と、トランジスタと、抵抗素子と、増幅回路と、を有し、
前記第２の発光素子の一方の電極は、前記トランジスタのソースまたはドレインの一方と電気的に接続され、
前記第２の発光素子の他方の電極は、前記抵抗素子の一方の電極及び前記増幅回路の第１の入力端子と電気的に接続され、
前記抵抗素子の他方の電極は、第１の電源線と電気的に接続され、
前記増幅回路の第２の入力端子は、第２の電源線と電気的に接続され、
前記増幅回路の出力端子は、前記トランジスタのゲートと電気的に接続され、
前記トランジスタのソースまたはドレインの他方は、第３の電源線と電気的に接続され、
前記トランジスタは、酸化物半導体膜を有し、
前記抵抗素子は、前記酸化物半導体膜と同一表面上の酸化物導電膜を有し、
前記モニター回路によって、前記駆動トランジスタ及び前記第１の発光素子に流れる電流を制御する機能を有することを特徴とする半導体装置。
【請求項４】
請求項２または請求項３において、
前記選択トランジスタ及び前記駆動トランジスタの各々は、酸化物半導体膜を有することを特徴とする半導体装置。
【請求項５】
画素部と、前記画素部の外側に設けられたモニター回路と、を有し、
前記画素部は、選択トランジスタと、駆動トランジスタと、第１のトランジスタと、第１の発光素子とを有し、
前記選択トランジスタは、信号線と前記駆動トランジスタのゲートとの間の導通状態を制御する機能を有し、
前記駆動トランジスタ及び前記第１のトランジスタは、前記第１の発光素子に流れる電流を制御する機能を有し、
前記モニター回路は、第２の発光素子と、第２のトランジスタと、抵抗素子と、増幅回路と、を有し、
前記第２の発光素子の一方の電極は、前記第２のトランジスタのソースまたはドレインの一方と電気的に接続され、
前記第２の発光素子の他方の電極は、前記抵抗素子の一方の電極及び前記増幅回路の第１の入力端子と電気的に接続され、
前記抵抗素子の他方の電極は、第１の電源線と電気的に接続され、
前記増幅回路の第２の入力端子は、第２の電源線と電気的に接続され、
前記増幅回路の出力端子は、前記第２のトランジスタのゲートと電気的に接続され、
前記第２のトランジスタのソースまたはドレインの他方は、第３の電源線と電気的に接続され、
前記第２のトランジスタは、酸化物半導体膜を有し、
前記抵抗素子は、前記酸化物半導体膜と同一表面上の酸化物導電膜を有し、
前記モニター回路によって、前記駆動トランジスタ及び前記第１の発光素子に流れる電流を制御する機能を有することを特徴とする半導体装置。
【請求項６】
請求項５において、
前記選択トランジスタ、前記駆動トランジスタ及び前記第１のトランジスタの各々は、酸化物半導体膜を有することを特徴とする半導体装置。
【手続補正書】
【提出日】令和1年7月25日(2019.7.25)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
表示パネル、および
前記表示パネルの上に位置する色変換パネルを含み、
前記色変換パネルは、
色変換媒介層、および
散乱体と前記散乱体に吸着された顔料および染料のうちの少なくとも一つを含む散乱層を含む表示装置。
【請求項２】
前記色変換媒介層は、蛍光体および量子ドットのうちの少なくともいずれか一つを含むことを特徴とする請求項１に記載の表示装置。
【請求項３】
前記色変換媒介層は感光性樹脂を含み、
前記蛍光体および前記量子ドットのうちの少なくともいずれか一つは前記感光性樹脂に分散していることを特徴とする請求項２に記載の表示装置。
【請求項４】
前記散乱体は、ＴｉＯ２、ＺｒＯ２、Ａｌ２Ｏ３、Ｉｎ２Ｏ３、ＺｎＯ、ＳｎＯ２、Ｓｂ２Ｏ３およびＩＴＯのうちの少なくともいずれか一つを含むことを特徴とする請求項１に記載の表示装置。
【請求項５】
前記散乱層の密度は、前記色変換媒介層の密度より大きいことを特徴とする請求項１に記載の表示装置。
【請求項６】
前記散乱層の屈折率は、約１．５以上であることを特徴とする請求項１に記載の表示装置。
【請求項７】
前記色変換媒介層は、赤色色変換媒介層、緑色色変換媒介層および透明層を含み、
前記表示装置は、隣接した前記赤色色変換媒介層、前記緑色色変換媒介層および前記透明層の間に位置する遮光部材をさらに含むことを特徴とする請求項２に記載の表示装置。
【請求項８】
前記透明層は前記蛍光体および前記量子ドットを含まず、前記透明層の上に位置する前記散乱層は前記染料および前記顔料を含まないことを特徴とする請求項７に記載の表示装置。
【請求項９】
前記染料および前記顔料は青色光を吸収することを特徴とする請求項１に記載の表示装置。
【請求項１０】
前記表示パネルおよび前記色変換パネルに光を供給するライトアセンブリをさらに含み、前記ライトアセンブリは発光ダイオードであり、前記発光ダイオードは紫外線または青色光のように特定波長帯域を放出することを特徴とする請求項１に記載の表示装置。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
第１の基板と、
互いに交差して交差領域を形成し、前記第１の基板の上に配置された走査線およびデータ線であって、前記走査線は第１の方向に沿って延伸する、
前記走査線および前記データ線と、
前記第１の基板上、且つ前記データ線と前記第１の基板との間に配置された活性層と、
を含み、
前記活性層は、
第１のビアホールを介して前記データ線と電気的に接続された第１の接触領域と、
前記走査線の一部と重なっている第１のチャネル領域と、
前記走査線の、前記一部とは別の部分と重なっている第２のチャネル領域と、
前記走査線と重なっておらず、且つ前記第１のチャネル領域と前記第２のチャネル領域との間を接続する非重複領域と、
を含み、
前記非チャネル領域の輪郭の少なくとも一部が円弧形状を有する、
表示パネル。
【請求項２】
前記第１のビアホールの前記第１の方向に沿った幅は、前記交差領域における前記データ線の前記第１の方向に沿った幅より大きい、請求項１に記載の表示パネル。
【請求項３】
前記データ線の輪郭の少なくとも一部が円弧形状を有する、請求項１に記載の表示パネル。
【請求項４】
前記第１のビアホールに対応している前記データ線の輪郭が円弧形状を有する、請求項１に記載の表示パネル。
【請求項５】
第１の導電層を更に含み、
前記活性層は、前記第１の導電層と電気的に接続された第２の接触領域を更に含む、請求項１に記載の表示パネル。
【請求項６】
前記第１の導電層が電極である、請求項５に記載の表示パネル。
【請求項７】
前記第１の導電層がパターン化された電極である、請求項５に記載の表示パネル。
【請求項８】
第２のビアホールを介して前記活性層に電気的に接続されたドレイン電極を更に含む、請求項５に記載の表示パネル。
【請求項９】
前記第１の導電層は、第３のビアホールを介して前記活性層に電気的に接続される、請求項８に記載の表示パネル。
【請求項１０】
前記第１の導電層は、前記第３のビアホールを介して前記ドレイン電極に電気的に接続される、請求項９に記載の表示パネル。
【請求項１１】
前記第１の基板上の前記第２のビアホールの突出部が、前記第１の基板上の前記第３のビアホールの突出部と、少なくとも部分的に重なっている、請求項９に記載の表示パネル。
【請求項１２】
前記第１の基板上の前記第２のビアホールの突出部と、前記第１の基板上の前記第３のビアホールの突出部とが重なっていない、請求項９に記載の表示パネル。
【請求項１３】
前記第１の基板の上に配置された第２の導電層を更に含む、請求項５に記載の表示パネル。
【請求項１４】
前記第１の導電層は、前記第２の導電層から絶縁される、請求項１３に記載の表示パネル。
【請求項１５】
前記第１の基板に対向して配置された第２の基板と、
前記第１の基板と前記第２の基板との間に配置された表示媒体と、を更に含む、請求項１に記載の表示パネル。
【手続補正書】
【提出日】平成30年12月19日(2018.12.19)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
メモリセルを有し、
前記メモリセルは、第１のトランジスタと、第２のトランジスタと、第３のトランジスタと、第４のトランジスタと、第１の容量素子と、第２の容量素子と、を有し、
前記第１のトランジスタのゲートは、第１の配線と電気的に接続され、
前記第１のトランジスタのソースまたはドレインの一方は、前記第２のトランジスタのゲートおよび前記第１の容量素子と電気的に接続され、
前記第１のトランジスタのソースまたはドレインの他方は、第２の配線と電気的に接続され、
前記第２のトランジスタのソースまたはドレインの一方は、前記第２の配線と電気的に接続され、
前記第２のトランジスタのソースまたはドレインの他方は、第３の配線と電気的に接続され、
前記第３のトランジスタのゲートは、第４の配線と電気的に接続され、
前記第３のトランジスタのソースまたはドレインの一方は、前記第２の容量素子と電気的に接続され、
前記第３のトランジスタのソースまたはドレインの他方は、前記第２の配線と電気的に接続され、
前記第４のトランジスタのゲートは、第５の配線と電気的に接続され、
前記第４のトランジスタのソースまたはドレインの一方は、前記第２の配線と電気的に接続され、
前記第４のトランジスタのソースまたはドレインの他方は、第６の配線と電気的に接続されている半導体装置。
【請求項２】
請求項１において、
前記第１のトランジスタのソースまたはドレインの一方に保持された電位に対応する第１の電位を、前記第６の配線に供給する機能と、
前記第３のトランジスタのソースまたはドレインの一方に保持された電位に対応する第２の電位を、前記第６の配線に供給する機能と、を有する半導体装置。
【請求項３】
請求項２において、
前記第２の電位の前記第６の配線への供給は、前記第２の容量素子に蓄積された電荷を、前記第１の容量素子に分配することにより行われる半導体装置。
【請求項４】
請求項３において、
前記第６の配線から前記第１のトランジスタのソースまたはドレインの一方にリセット電位を供給した後、前記電荷の分配が行われる半導体装置。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
コロプレスマップを設計するコンピュータにより実行される方法であって、
地図、および前記地図のそれぞれの領域における統計的変数を表す数値（ｘ1，…，ｘn）の数（ｎ）を設けるステップと、
予め定められた数（Ｋ）のクラスタに対し、前記数値の最適Ｋ平均クラスタリングを算出するステップであって、前記算出するステップは、前記予め定められた数のクラスタに対応する回数、前記数値の数に等しい次数（ｎ）の正方行列に適用される線形時間行最小検索アルゴリズムを反復することを含む、ステップと、
それぞれの配色を、前記算出されたクラスタリングの各々のクラスタに割り当てるステップと、
それぞれの数値が設けられる前記地図の全ての領域において、前記それぞれの数値が属する前記クラスタに割り当てられた前記配色を適用するステップと
を備えたことを特徴とする方法。
【請求項２】
予め定められた色を設けるステップをさらに備え、それぞれのクラスタに割り当てられた前記配色は、前記それぞれのクラスタの前記数値によって決まる前記予め定められた色の明度であることを特徴とする請求項１に記載の方法。
【請求項３】
それぞれのクラスタに割り当てられた前記配色は、前記それぞれのクラスタの中心の値によって次第に決まる前記予め定められた色の明度であることを特徴とする請求項２に記載の方法。
【請求項４】
前記数値（ｘ1，…，ｘn）は、記憶およびインデックス付けされ、前記算出するステップ内での反復は、それぞれの反復ランクにおいて、および前記数値の数（ｎ）未満のインデックス（ｊ）ごとに、前記正方行列（Ｈ）に適用される線形時間行最小検索アルゴリズムに従って、それぞれの反復ランクに対応するクラスタの数で、それぞれのインデックス（ｉ＜＝ｊ）未満でインデックス付けされた数値（ｘi）のサブセットに対して達成可能な最小全歪み（ＴＤmin（ｊ，ｋ））の算出を含むことを特徴とする請求項１乃至３のいずれか一項に記載の方法。
【請求項５】
各々のそれぞれの反復ランク（ｋ）において、および前記数値の数（ｎ）未満のインデックス（ｊ）ごとに、行インデックス（ｉ）ごと、および列インデックス（ｊ）ごとに、行列エントリ（Ｈ（ｉ，ｊ））は、
前記行インデックスに先行するインデックス（ｉ−１）に対する前の反復において算出された最小全歪み（ＴＤmin（ｉ−１，ｋ−１））と、
前記行インデックスと前記列インデックスとの間の前記数値の連続するサブセットの歪み（ｄｉｓｔｏ（ｉ，ｊ））
の合計に対応することを特徴とする請求項４に記載の方法。
【請求項６】
各々のそれぞれの反復ランク（ｋ）において、行最小検索アルゴリズムによって返されるインデックス（Ｃｕｔmin（ｊ，ｋ））を記憶するステップをさらに備えたことを特徴とする請求項５に記載の方法。
【請求項７】
前記算出するステップにおいて、前記記憶されたインデックスから最適クラスタリングを判定するステップをさらに備えたことを特徴とする請求項６に記載の方法。
【請求項８】
前記記憶されたインデックスから前記最適クラスタリングを判定するステップは、前記記憶されたインデックス（Ｃｕｔmin）において、最後にインデックス付けされた数値（Ｃｕｔmin（ｎ，Ｋ））から開始して、数値を区分化するステップを備え、各々のそれぞれの反復ランク（ｑ）において、現在形成されているクラスタの開始数値のインデックスは、予め定められた数のクラスタから、現在形成されているクラスタの最後にインデックス付けされた数値のインデックスに等しい行インデックスに対するそれぞれの反復ランク（ｑ）を減算したものに等しいランク（Ｋ−ｑ）の反復において、前記算出するステップ内で反復する間に記憶されたインデックスに等しいことを特徴とする請求項７に記載の方法。
【請求項９】
コンピュータによって実行されるとき、前記コンピュータに、請求項１乃至８のいずれか一項に記載の方法を実行させるコンピュータ実行可能命令を備えたことを特徴とするコンピュータプログラム。
【請求項１０】
請求項９に記載のコンピュータプログラムを記憶したことを特徴とするデータ記憶媒体。
【請求項１１】
メモリに結合されたプロセッサを備えたシステムであって、前記プロセッサは、前記メモリに記憶された、請求項９に記載の前記コンピュータプログラムを実行するように構成されていることを特徴とするシステム。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
地図画像を表示する端末であって、
前記端末の位置情報を検出する検出部と、
前記端末とは異なる端末の位置に関する情報を受信する通信部と、
前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に表示する表示部とを備える。
【請求項２】
請求項１に記載の端末であって、
前記表示部は、前記第１位置と前記第２位置とに基づく、第１距離に基づく情報を前記地図画像上に表示する。
【請求項３】
請求項１または請求項２に記載の端末であって、
前記異なる端末の位置に関する情報の送信を前記異なる端末に依頼する依頼情報を前記通信部によって送信する制御部をさらに備え、
前記依頼情報は、前記異なる端末の位置に関する情報を共有する共有時間を含み、
前記制御部は、前記共有時間に基づき、前記異なる端末の位置に関する情報を前記通信部によって受信する制御を行う。
【請求項４】
請求項１または請求項２に記載の端末であって、
前記検出部によって検出された前記端末の位置情報と、前記端末のユーザによって入力された入力位置情報との間の第２距離が設定された距離よりも大きい場合、前記第２距離が設定された距離よりも大きいことを示す情報を出力する制御を行う制御部をさらに備える。
【請求項５】
請求項１から請求項４のいずれか一項に記載の端末であって、
前記異なる端末と共有する位置に関する情報を入力する入力部をさらに備え、
前記表示部は、前記異なる端末と共有する位置に関する情報に基づく第３位置と、
前記第１位置と前記第３位置または、前記第２位置と前記第３位置とに基づく第３距離に基づく情報を前記地図画像上に表示する。
【請求項６】
請求項１から請求項５のいずれか一項に記載の端末であって、
前記異なる端末のユーザと前記端末のユーザとは、所定の関係が設定されている。
【請求項７】
請求項１から請求項６のいずれか一項に記載の端末であって、
前記通信部は、第１メッセージを前記異なる端末に送信し、前記異なる端末から第２メッセージを受信し、
前記表示部は、前記地図画像と、前記第１メッセージと、前記第２メッセージとを表示する。
【請求項８】
地図画像を表示する端末の表示方法であって、
前記端末の位置情報を前記端末の検出部によって検出することと、
前記端末とは異なる端末の位置に関する情報を前記端末の通信部によって受信することと、
前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に前記端末の表示部によって表示することとを含む。
【請求項９】
請求項８に記載の表示方法であって、
前記第１位置と前記第２位置とに基づく第１距離に基づく情報を前記地図画像上に前記表示部によって表示することを含む。
【請求項１０】
請求項８または請求項９に記載の表示方法であって、
前記異なる端末の位置に関する情報の送信を前記異なる端末に依頼する依頼情報を前記通信部によって送信する制御を前記端末の制御部によって行い、
前記依頼情報は、前記異なる端末の位置に関する情報を共有する共有時間を含み、
前記共有時間に基づき、前記異なる端末の位置に関する情報を前記通信部によって受信する制御を前記制御部によって行うことを含む。
【請求項１１】
請求項８または請求項９に記載の表示方法であって、
前記検出部によって検出された前記端末の位置情報と、前記端末のユーザによって入力された入力位置情報との間の第２距離が設定された距離よりも大きい場合、前記第２距離が設定された距離よりも大きいことを示す情報を出力する制御を前記端末の制御部によって行うことを含む。
【請求項１２】
請求項８から請求項１１のいずれか一項に記載の表示方法であって、
前記異なる端末と共有する位置に関する情報を取得することと、
前記異なる端末と共有する位置に関する情報に基づく第３位置と、前記第１位置と前記第３位置または、前記第２位置と前記第３位置とに基づく第３距離に基づく情報を前記地図画像上に前記表示部によって表示することとを含む。
【請求項１３】
請求項８から請求項１２のいずれか一項に記載の表示方法であって、
前記異なる端末のユーザと前記端末のユーザとは、所定の関係が設定されている。
【請求項１４】
請求項８から請求項１３のいずれか一項に記載の表示方法であって、
第１メッセージを前記異なる端末に前記通信部によって送信し、前記異なる端末から第２メッセージを前記通信部によって受信することと、
前記地図画像と、前記第１メッセージと、前記第２メッセージとを前記表示部によって表示することとを含む。
【請求項１５】
地図画像を表示する端末のコンピュータに実行させるプログラムであって、
前記端末の位置情報を前記端末の検出部によって検出することと、
前記端末とは異なる端末の位置に関する情報を前記端末の通信部によって受信することと、
前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に前記端末の表示部によって表示することとを含む。
【手続補正２】
【補正対象書類名】明細書
【補正対象項目名】発明の名称
【補正方法】変更
【補正の内容】
【発明の名称】端末、表示方法及びプログラム
【手続補正３】
【補正対象書類名】明細書
【補正対象項目名】０００５
【補正方法】変更
【補正の内容】
【０００５】
本発明の実施形態による地図画像を表示する端末は、前記端末の位置情報を検出する検出部と、前記端末とは異なる端末の位置に関する情報を受信する通信部と、前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に表示する表示部とを備えてよい。本発明の実施形態による地図画像を表示する端末の表示方法は、前記端末の位置情報を前記端末の検出部によって検出することと、前記端末とは異なる端末の位置に関する情報を前記端末の通信部によって受信することと、前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に前記端末の表示部によって表示することとを含んでよい。本発明の実施形態による地図画像を表示する端末のコンピュータに実行させるプログラムは、前記端末の位置情報を前記端末の検出部によって検出することと、前記端末とは異なる端末の位置に関する情報を前記端末の通信部によって受信することと、前記検出部によって検出された前記端末の位置情報および、前記端末のユーザによって入力された入力位置情報の少なくとも一方に基づく第１位置と、前記異なる端末の位置に関する情報に基づく第２位置とを前記地図画像上に前記端末の表示部によって表示することとを含んでよい。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
３次元シーンにおける３次元モデル化されたアセンブリ上で境界ボックスのセットを生成するコンピュータにより実行される方法であって、
３次元シーンにおいて、３次元モデル化されたアセンブリを形成する３次元モデル化オブジェクトを提供するステップと、
前記３次元モデル化されたアセンブリを包含するメイン境界ボックスを計算するステップと、
前記３次元モデル化されたアセンブリの少なくとも１つのプロパティを満たす３次元モデル化オブジェクトのセットを生成するステップと、
前記メイン境界ボックスによって包含される２以上の境界ボックスを計算するステップであって、前記２以上の境界ボックスのうちの１つは、前記セットの前記３次元モデル化オブジェクトを含む、前記ステップと
を備えることを特徴とするコンピュータにより実行される方法。
【請求項２】
前記３次元モデル化の前記少なくとも１つのプロパティは、前記３次元モデル化されたアセンブリの１つまたは複数の３次元モデル化オブジェクトの少なくとも１つのプロパティを備え、
前記２以上の境界ボックスを計算するステップの前に、ユーザアクションが行われると、前記３次元モデル化されたアセンブリの１つまたは複数の３次元モデル化オブジェクトの少なくとも１つのプロパティを選択するステップをさらに備えることを特徴とする請求項１に記載のコンピュータにより実行される方法。
【請求項３】
前記２以上の境界ボックスを計算するステップは、
前記生成されたグループの前記３次元モデル化オブジェクトの輪郭を表す前記３次元シーンにおけるポイントの１つのセットを計算するステップと、
前記ポイントの１つのセットの重心を計算するステップと、
前記重心を前記境界ボックスによって定義されるボリュームの中心として有する前記境界ボックスを計算するステップと
をさらに含むことを特徴とする請求項２に記載のコンピュータにより実行される方法。
【請求項４】
前記少なくとも１つの選択されたプロパティは、
前記３次元モデル化されたアセンブリの製品構造におけるレベル、
前記オブジェクトの材料パラメータ、
前記オブジェクトの色
のうちの１つであることを特徴とする請求項２又は請求項３に記載のコンピュータにより実行される方法。
【請求項５】
前記３次元モデル化されたアセンブリの前記少なくとも１つのプロパティは、前記３次元シーンにおける前記３次元モデル化されたアセンブリのディメンションであることを特徴とする請求項１に記載のコンピュータにより実行される方法。
【請求項６】
前記メイン境界ボックスに囲まれた、計算された境界ボックスの数ｎは、前記３次元モデル化されたアセンブリの前記メインの前記ディメンションに従って決定されることを特徴とする請求項５に記載のコンピュータにより実行される方法。
【請求項７】
前記メイン境界ボックスおよび前記２以上の境界ボックスは、直方体、立方体のうちの１つであることを特徴とする請求項１から請求項６のいずれか１項に記載のコンピュータにより実行される方法。
【請求項８】
前記メイン境界ボックスは、前記メイン境界ボックスの１つの方向について最大で２つの隣り合う重ね合わされた境界ボックスを備えることを特徴とする請求項７に記載のコンピュータにより実行される方法。
【請求項９】
前記計算された２以上の境界ボックスは、隣り合う境界ボックスの間に最小の間隔をあけて前記３次元シーンにおいて表現されることを特徴とする請求項１から請求項８のいずれか１項に記載のコンピュータにより実行される方法。
【請求項１０】
前記提供するステップの後、
前記３次元モデル化されたアセンブリの簡略化されたビューを計算するステップであって、前記計算され、簡略化されたビューは、縮小されたスケールを有し、単一のメッシュを形成する前記アセンブリを表現する１つの３次元オブジェクトのビューである、前記ステップと、
前記簡略化されたビュー上に前記計算された境界ボックスを表示するステップと
をさらに備えることを特徴とする請求項１から請求項９のいずれか１項に記載のコンピュータにより実行される方法。
【請求項１１】
コンピュータ実行可能命令を含むコンピュータプログラムであって、前記コンピュータ実行可能命令は、コンピュータによって実行されるとき、前記コンピュータに請求項１から請求項１０のいずれかに記載の方法を実行させるコンピュータプログラム。
【請求項１２】
請求項１１に記載のコンピュータプログラムを記憶したコンピュータ可読記憶媒体。
【請求項１３】
メモリに結合されたプロセッサを備えたコンピュータシステムであって、前記プロセッサは、前記メモリに記憶された、請求項１１に記載のコンピュータプログラムを実行するように構成されているコンピュータシステム。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
基準クエリとのターゲットクエリの類似性に基づいて、データベースにおける前記ターゲットクエリの実行時間を予測するための前記データベースにおいて前記基準クエリをクラスタリングするコンピュータにより実行される方法であって、
前記基準クエリの前記実行時間を表す数値（ｘ1，…，ｘn）の数（ｎ）を設けるステップと、
予め定められた数（Ｋ）のクラスタに対する前記数値の最適Ｋ平均クラスタリングを算出するステップであって、前記算出するステップは、前記予め定められた数のクラスタに対応する回数、前記数値の数に等しい次数（ｎ）の正方行列（Ｈ）に適用される線形時間行最小検索アルゴリズムを反復するステップを含む、ステップと、
前記数値の前記算出されたクラスタリングに従って、前記基準クエリをクラスタリングするステップと
を備えたことを特徴とする方法。
【請求項２】
前記数値（ｘ1，…，ｘn）は、記憶およびインデックス付けされ、前記算出するステップ内で反復することは、各々のそれぞれの反復ランク（ｋ）において、ならびに前記数値の数（ｎ）未満のそれぞれのインデックス（ｊ）ごとに、前記正方行列（Ｈ）に適用される前記線形時間行最小検索アルゴリズムに従って、前記それぞれの反復ランク（ｋ）に対応するクラスタの数で、前記それぞれのインデックス（ｉ＜＝ｊ）よりも低くインデックス付けされた数値（ｘi）のサブセットに対して達成可能な最小全歪み（ＴＤmin（ｊ，ｋ））の算出を含む、ことを特徴とする請求項１に記載の方法。
【請求項３】
各々のそれぞれの反復ランク（ｋ）において、および前記数値の数（ｎ）未満のそれぞれのインデックス（ｊ）ごとに、行インデックス（ｉ）ごと、および列インデックス（ｊ）ごとに、行列エントリ（Ｈ（ｉ，ｊ））は、
前記行インデックスに先行するインデックス（ｉ−１）に対する前の反復において算出された最小全歪み（ＴＤmin（ｉ−１，ｋ−１））、および
前記行インデックスと前記列インデックスとの間の前記数値の連続するサブセット（ｘｉ，…，ｘｊ）の歪み（ｄｉｓｔｏ（ｉ，ｊ））
の合計に対応する、ことを特徴とする請求項２に記載の方法。
【請求項４】
前記方法は、各々のそれぞれの反復ランク（ｋ）において、前記行最小検索アルゴリズムによって返されるインデックス（Ｃｕｔmin（ｊ，ｋ））を記憶するステップをさらに備えている、ことを特徴とする請求項３に記載の方法。
【請求項５】
前記方法は、前記算出するステップにおいて、前記記憶されたインデックスから最適クラスタリングを判定するステップをさらに備えている、ことを特徴とする請求項４に記載の方法。
【請求項６】
前記記憶されたインデックスから前記最適クラスタリングを判定するステップは、前記記憶されたインデックス（Ｃｕｔmin）における最後にインデックス付けされた数値（Ｃｕｔmin（ｎ，Ｋ））から開始して、前記数値を反復して区分化するステップを備え、各々のそれぞれの反復ランク（ｑ）において、現在形成されているクラスタの開始数値のインデックスは、前記算出するステップ内での反復の間に、前記予め定められた数のクラスタから、前記現在形成されているクラスタの最後にインデックス付けされた数値の前記インデックスに等しい前記行インデックスに対するそれぞれの反復ランク（ｑ）を引いたのに等しいランク（Ｋ−ｑ）の反復において、記憶されたインデックスに等しい、ことを特徴とする請求項５に記載の方法。
【請求項７】
データベースにおいてターゲットクエリの実行時間を予測する方法であって、
請求項１乃至６のいずれか一項に記載の方法によって取得可能な前記データベースにおける基準クエリのクラスタリング、および前記基準クエリの前記実行時間を提供するステップと、
前記基準クエリとの前記ターゲットクエリの類似性に基づいて、前記ターゲットクエリを前記クラスタリングのクラスタに関連付けるステップと、
前記ターゲットクエリに関連付けられた前記クラスタの前記基準クエリの前記実行時間に従って、前記ターゲットクエリの前記実行時間を予測するステップと
を備えたことを特徴とする方法。
【請求項８】
コンピュータによって実行されるとき、前記コンピュータに、請求項１乃至７のいずれか一項に記載の方法を実行させるためのコンピュータ実行可能命令を備えたことを特徴とするコンピュータプログラム。
【請求項９】
請求項８に記載のコンピュータプログラムを記憶したことを特徴とするデータ記憶媒体。
【請求項１０】
メモリに結合されたプロセッサを備えたシステムであって、前記プロセッサは、前記メモリに記憶された、請求項８に記載の前記コンピュータプログラムを実行するように構成されていることを特徴とするシステム。
【請求項１１】
前記メモリはデータベースをさらに記憶し、前記プロセッサは、前記データベースにおける基準クエリおよび／または前記データベースにおけるターゲットクエリ上で前記コンピュータプログラムを実行するように構成されていることを特徴とする請求項１０に記載のシステム。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
複数のセンサ電極と、
複数の表示電極と、
処理システムと
を備え、
前記処理システムは、
前記複数のセンサ電極の対応のものにそれぞれ結合された複数の局部受信器であって、前記複数のセンサ電極から第１の結果信号を取得するように構成された局部受信器と、
前記複数のセンサ電極に結合され且つ前記複数のセンサ電極の各々から第２の結果信号を同時に取得するように構成された中央受信器とを備えるものである、入力装置。
【請求項２】
前記中央受信器は一定の基準電圧に結合され、前記第２の結果信号を取得するときに非変調とされる、請求項１に記載の入力装置。
【請求項３】
前記センサ電極は全て、共通の電気的ノードに結合され、前記中央受信器は、前記第２の結果信号を取得するために前記共通の電気的ノードに結合される、請求項１又は２に記載の入力装置。
【請求項４】
前記処理システムは、前記第２の結果信号に基づき干渉の測定値を識別するように構成されている、請求項１乃至３のいずれか一項に記載の入力装置。
【請求項５】
前記処理システムは、前記第２の結果信号に基づき前記入力装置の外部のアクティブな入力オブジェクトにより送信される通信信号を識別するように構成されている、請求項１乃至４のいずれか一項に記載の入力装置。
【請求項６】
前記中央受信器が前記第２の結果信号を取得するときに電源からディスプレイを選択的に切断するように構成されたスイッチを更に備える、請求項１乃至５のいずれか一項に記載の入力装置。
【請求項７】
前記中央受信器は、前記表示電極の各々から第３の結果信号を取得するように構成され、前記第２及び第３の結果信号が並列的に取得される、請求項１乃至６のいずれか一項に記載の入力装置。
【請求項８】
複数のセンサ電極の対応のものに結合された複数の局部受信器であって、前記センサ電極から第１の結果信号を受信するように構成された局部受信器と、
前記センサ電極に結合され且つ前記センサ電極の各々から第２の結果信号を同時に取得するように構成された中央受信器と
を備えた処理システム。
【請求項９】
前記中央受信器は一定の基準電圧に結合され、前記第２の結果信号を取得するときに非変調とされる、請求項８に記載の処理システム。
【請求項１０】
前記中央受信器は、前記第２の結果信号に基づき干渉の測定値の少なくとも１つを識別するように構成されている、請求項８又は９に記載の処理システム。
【請求項１１】
前記中央受信器は、前記第２の結果信号に基づいて入力装置の外部のアクティブな入力オブジェクトにより送信される通信信号を識別するように構成されている、請求項８乃至１０のいずれか一項に記載の処理システム。
【請求項１２】
前記中央受信器が前記第２の結果信号を取得するときに電源からディスプレイを選択的に切断するように構成されたスイッチを更に備える、請求項８乃至１１のいずれか一項に記載の処理システム。
【請求項１３】
前記中央受信器は、表示電極の各々から第３の結果信号を取得するように構成され、前記第２及び第３の結果信号は並列的に取得される、請求項８乃至１２のいずれか一項に記載の処理システム。
【請求項１４】
容量性感知を遂行するために複数のセンサ電極から複数の局部受信器で第１の結果信号を受信し、前記局部受信器の各々は、前記センサ電極の対応のものに結合され、
前記センサ電極から中央受信器で第２の結果信号を受信し、前記中央受信器は前記センサ電極に結合される、
ことを含む方法。
【請求項１５】
前記第２の結果信号を受信する前に、電源からディスプレイを電気的に切断することを更に含み、前記センサ電極は、前記中央受信器で前記第２の結果信号を受信するときに非変調とされる、請求項１４に記載の方法。
【請求項１６】
前記第２の結果信号に基づき干渉測定値の少なくとも１つを識別することを更に含む、請求項１４又は１５に記載の方法。
【請求項１７】
前記第２の結果信号に基づいて入力装置の外部のアクティブな入力オブジェクトにより送信される通信信号を識別することを更に含む、請求項１４乃至１６のいずれか一項に記載の方法。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
複数のリールと、
所定数の範囲内において遊技価値を電気的に貯留可能な貯留手段と、
マックスベットスイッチと、
精算スイッチと、
演出音を出力可能なスピーカと、
遊技者が操作可能な操作部材Ａと、
遊技者が操作可能な操作部材Ｂと、
遊技者が操作できない操作部材Ｃと
を備え、
前記主制御手段は、
内部抽選を行う内部抽選手段
を備え、
前記操作部材Ａの操作を遊技者に対して促す演出として所定の操作演出を実行可能であり、
遊技状態として、通常状態と、当該通常状態よりも遊技者にとって有利な有利状態と、を少なくとも有しており、
前記所定の操作演出が実行されている状況において、前記操作部材Ａが操作された場合には、前記所定の操作演出の実行を終了し、特定演出を実行し得るよう構成されており、
自動ベットされておらず、且つ前記貯留手段に現在の状況における最大のベット数である特定数以上の遊技価値が貯留されており、且つベット数が０であり、且つ前記所定の操作演出が実行されている状況において、前記マックスベットスイッチが操作された場合には、前記所定の操作演出の実行を終了し得るよう構成されており、
自動ベットされており、且つ前記所定の操作演出が実行されている状況において、前記マックスベットスイッチが操作された場合には、前記所定の操作演出の実行を継続し、前記特定演出を実行しないよう構成されており、
前記貯留手段に遊技価値が貯留されておらず、且つ前記所定の操作演出が実行されている状況において、前記マックスベットスイッチが操作された場合には、前記所定の操作演出の実行を継続し、前記特定演出を実行しないよう構成されており、
前記貯留手段に遊技価値が貯留されており、且つ前記所定の操作演出が実行されている状況において、前記精算スイッチが操作された場合には、前記所定の操作演出の実行を終了し得るよう構成されており、
前記操作部材Ｂの操作に基づいて、スピーカから出力される演出音の音量レベルを調整可能に構成されており、
前記操作部材Ｃの操作に基づいて、スピーカから出力される演出音の音量レベルを調整可能に構成されており、
前記操作部材Ｂの操作と前記操作部材Ｃの操作とに基づいてスピーカから出力される演出音の音量レベルが決定されるよう構成されており、
通常状態では第１のＢＧＭを出力可能であり、
有利状態では第２のＢＧＭを出力可能であり、
所定の音量レベルに決定されている状況においては、第１のＢＧＭよりも第２のＢＧＭの方が出力される音量が相対的に大きくなるよう構成されており、
第１のＢＧＭよりも第２のＢＧＭの方が相対的にテンポが速いよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行を制御する主制御手段と、
複数のリールと、
所定数の範囲内において遊技価値を電気的に貯留可能な貯留手段と、
マックスベットスイッチと、
精算スイッチと、
演出音を出力可能なスピーカと、
遊技者が操作可能な操作部材Ａと、
遊技者が操作可能な操作部材Ｂと、
遊技者が操作できない操作部材Ｃと
を備え、
前記主制御手段は、
内部抽選を行う内部抽選手段
を備え、
前記操作部材Ａの操作を遊技者に対して促す演出として所定の操作演出を実行可能であり、
遊技状態として、通常状態と、当該通常状態よりも遊技者にとって有利な有利状態と、を少なくとも有しており、
前記所定の操作演出が実行されている状況において、前記操作部材Ａが操作された場合には、前記所定の操作演出の実行を終了し、特定演出を実行し得るよう構成されており、
自動ベットされておらず、且つ前記貯留手段に現在の状況における最大のベット数である特定数以上の遊技価値が貯留されており、且つベット数が０であり、且つ前記所定の操作演出が実行されている状況において、前記マックスベットスイッチが操作された場合には、前記所定の操作演出の実行を終了し得るよう構成されており、
自動ベットされており、且つ前記所定の操作演出が実行されている状況において、前記マックスベットスイッチが操作された場合には、前記所定の操作演出の実行を継続し、前記特定演出を実行しないよう構成されており、
前記貯留手段に遊技価値が貯留されておらず、且つ前記所定の操作演出が実行されている状況において、前記マックスベットスイッチが操作された場合には、前記所定の操作演出の実行を継続し、前記特定演出を実行しないよう構成されており、
前記貯留手段に遊技価値が貯留されており、且つ前記所定の操作演出が実行されている状況において、前記精算スイッチが操作された場合には、前記所定の操作演出の実行を終了し得るよう構成されており、
前記操作部材Ｂの操作に基づいて、スピーカから出力される演出音の音量レベルを調整可能に構成されており、
前記操作部材Ｃの操作に基づいて、スピーカから出力される演出音の音量レベルを調整可能に構成されており、
前記操作部材Ｂの操作と前記操作部材Ｃの操作とに基づいてスピーカから出力される演出音の音量レベルが決定されるよう構成されており、
通常状態では第１のＢＧＭを出力可能であり、
有利状態では第２のＢＧＭを出力可能であり、
所定の音量レベルに決定されている状況においては、第１のＢＧＭよりも第２のＢＧＭの方が出力される音量が相対的に大きくなるよう構成されており、
第１のＢＧＭよりも第２のＢＧＭの方が相対的にテンポが速いよう構成されている
ことを特徴とする遊技機である。
＜付記＞
尚、本態様とは異なる別態様について以下に列記しておくが、これらには何ら限定されることなく実施することが可能である。
本別態様に係る遊技機は、
遊技の進行を制御する主遊技部（例えば、主制御基板Ｍ）と、
演出を制御する副遊技部（例えば、副制御基板Ｓ）と
を備え、
遊技機に電力が供給開始されてから主遊技部のプログラムが起動するまでの時間は、電源断が発生してから遊技機への電力の供給が終了するまでの時間よりも長時間であるよう構成されており、
遊技機に電力が供給開始されてから主遊技部のプログラムが起動するまでの時間は、遊技機に電力が供給開始されてから副遊技部のプログラムが起動するまでの時間よりも長時間であるよう構成されている
ことを特徴とする遊技機である。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出を制御する副制御手段と、
複数のリールと、
所定数の範囲内において遊技価値を電気的に貯留可能な貯留手段と、
ベットスイッチと、
スタートスイッチと、
操作可能な副操作部材と
を備え、
前記主制御手段は、
内部抽選を行う内部抽選手段
を備え、
前記副制御手段は、
前記副操作部材の操作を遊技者に対して促す演出として操作演出を実行可能であり、
所定の遊技状態であり、且つ前記操作演出が実行されている状況において、前記副操作部材が操作された場合には、前記操作演出の実行を終了し、特定演出を実行し得るよう構成されており、
前記所定の遊技状態であり、且つ自動ベットされておらず、且つ前記貯留手段に前記所定の遊技状態における最大のベット数である特定数以上の遊技価値が貯留されており、且つベット数が０であり、且つ前記操作演出が実行されている状況において、前記ベットスイッチが操作された場合には、前記操作演出の実行を終了し得るよう構成されており、
前記所定の遊技状態であり、且つ自動ベットされており、且つ前記操作演出が実行されている状況において、前記ベットスイッチが操作された場合には、前記操作演出の実行を継続し、前記特定演出を実行しないよう構成されており、
前記所定の遊技状態であり、且つ前記貯留手段に遊技価値が貯留されておらず、且つ前記操作演出が実行されている状況において、前記ベットスイッチが操作された場合には、前記操作演出の実行を継続し、前記特定演出を実行しないよう構成されており、
前記所定の遊技状態であり、且つ自動ベットされており、且つ前記操作演出が実行されている状況において、前記スタートスイッチが操作された場合には、前記操作演出の実行を終了し得る一方、前記特定演出を実行しないよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行を制御する主制御手段と、
演出を制御する副制御手段と、
複数のリールと、
所定数の範囲内において遊技価値を電気的に貯留可能な貯留手段と、
ベットスイッチと、
スタートスイッチと、
操作可能な副操作部材と
を備え、
前記主制御手段は、
内部抽選を行う内部抽選手段
を備え、
前記副制御手段は、
前記副操作部材の操作を遊技者に対して促す演出として操作演出を実行可能であり、
所定の遊技状態であり、且つ前記操作演出が実行されている状況において、前記副操作部材が操作された場合には、前記操作演出の実行を終了し、特定演出を実行し得るよう構成されており、
前記所定の遊技状態であり、且つ自動ベットされておらず、且つ前記貯留手段に前記所定の遊技状態における最大のベット数である特定数以上の遊技価値が貯留されており、且つベット数が０であり、且つ前記操作演出が実行されている状況において、前記ベットスイッチが操作された場合には、前記操作演出の実行を終了し得るよう構成されており、
前記所定の遊技状態であり、且つ自動ベットされており、且つ前記操作演出が実行されている状況において、前記ベットスイッチが操作された場合には、前記操作演出の実行を継続し、前記特定演出を実行しないよう構成されており、
前記所定の遊技状態であり、且つ前記貯留手段に遊技価値が貯留されておらず、且つ前記操作演出が実行されている状況において、前記ベットスイッチが操作された場合には、前記操作演出の実行を継続し、前記特定演出を実行しないよう構成されており、
前記所定の遊技状態であり、且つ自動ベットされており、且つ前記操作演出が実行されている状況において、前記スタートスイッチが操作された場合には、前記操作演出の実行を終了し得る一方、前記特定演出を実行しないよう構成されている
ことを特徴とする遊技機である。
＜付記＞
尚、本態様とは異なる別態様について以下に列記しておくが、これらには何ら限定されることなく実施することが可能である。
本別態様に係る遊技機は、
遊技の進行を制御する主遊技部（例えば、主制御基板Ｍ）と、
演出を制御する副遊技部（例えば、副制御基板Ｓ）と
を備え、
遊技機に電力が供給開始されてから主遊技部のプログラムが起動するまでの時間は、電源断が発生してから遊技機への電力の供給が終了するまでの時間よりも長時間であるよう構成されており、
遊技機に電力が供給開始されてから主遊技部のプログラムが起動するまでの時間は、遊技機に電力が供給開始されてから副遊技部のプログラムが起動するまでの時間よりも長時間であるよう構成されている
ことを特徴とする遊技機である。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
演出を表示可能な演出表示部と、
操作可能な操作部材と、
遊技の進行を制御する主制御手段と、
演出を制御する副制御手段と
を備え、
前記主制御手段は、
内部抽選を行う内部抽選手段
を備え、
ストップスイッチの有利な操作態様を報知可能な有利区間と、
ストップスイッチの有利な操作態様を報知不可能な通常区間と
を有しており、
前記内部抽選手段により決定され得る当選番号として、第１当選番号と第２当選番号とを少なくとも有しており、
前記内部抽選手段により決定された当選番号に対応する演出グループ情報を導出可能に構成されており、
前記第１当選番号に対応する演出グループ情報として第１情報を有しており、
前記第２当選番号に対応する演出グループ情報として第２情報を有しており、
前記第１情報に対応する当選番号よりも、前記第２情報に対応する当選番号の方が多いよう構成されており、
通常区間において、前記主制御手段は、導出した演出グループ情報を前記副制御手段に送信可能に構成されており、
前記副制御手段は、操作部材に対する所定の操作を促す演出である操作演出を演出表示部にて表示可能に構成されており、
所定の遊技状態において、前記副制御手段が前記主制御手段から前記第１情報を受信した遊技の方が、前記副制御手段が前記主制御手段から前記第２情報を受信した遊技よりも、操作演出が表示され易いよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
複数のリールと、
複数のストップスイッチと、
演出を表示可能な演出表示部と、
操作可能な操作部材と、
遊技の進行を制御する主制御手段と、
演出を制御する副制御手段と
を備え、
前記主制御手段は、
内部抽選を行う内部抽選手段
を備え、
ストップスイッチの有利な操作態様を報知可能な有利区間と、
ストップスイッチの有利な操作態様を報知不可能な通常区間と
を有しており、
前記内部抽選手段により決定され得る当選番号として、第１当選番号と第２当選番号とを少なくとも有しており、
前記内部抽選手段により決定された当選番号に対応する演出グループ情報を導出可能に構成されており、
前記第１当選番号に対応する演出グループ情報として第１情報を有しており、
前記第２当選番号に対応する演出グループ情報として第２情報を有しており、
前記第１情報に対応する当選番号よりも、前記第２情報に対応する当選番号の方が多いよう構成されており、
通常区間において、前記主制御手段は、導出した演出グループ情報を前記副制御手段に送信可能に構成されており、
前記副制御手段は、操作部材に対する所定の操作を促す演出である操作演出を演出表示部にて表示可能に構成されており、
所定の遊技状態において、前記副制御手段が前記主制御手段から前記第１情報を受信した遊技の方が、前記副制御手段が前記主制御手段から前記第２情報を受信した遊技よりも、操作演出が表示され易いよう構成されている
ことを特徴とする遊技機である。
＜付記＞
尚、本態様とは異なる別態様について以下に列記しておくが、これらには何ら限定されることなく実施することが可能である。
本別態様に係る遊技機は、
遊技の進行を制御する主遊技部（例えば、主制御基板Ｍ）と、
演出を制御する副遊技部（例えば、副制御基板Ｓ）と
を備え、
遊技機に電力が供給開始されてから主遊技部のプログラムが起動するまでの時間は、電源断が発生してから遊技機への電力の供給が終了するまでの時間よりも長時間であるよう構成されており、
遊技機に電力が供給開始されてから主遊技部のプログラムが起動するまでの時間は、遊技機に電力が供給開始されてから副遊技部のプログラムが起動するまでの時間よりも長時間であるよう構成されている
ことを特徴とする遊技機である。